(57)【特許請求の範囲】
【請求項１】
防水性を有する軟質の容器本体(1)と、その上部の開口に被せられる蓋(2)とを基本構成部材とし、容器本体(1)に把手(3)を取り付けた釣り用餌入れバッグにおいて、硬質プラスチック製とした蓋(2)を二分割して、各蓋(2)を、容器本体(1)に面ファスナ(7)を備えた取付ベルト(6)を介して回動かつ着脱自在に取り付け、少なくとも一方の蓋(2)を、容器本体(1)への取付部を中心とする回動に伴い、起立状態の把手(3)と干渉することなく開けられるようにし、一方の蓋(2)に嵌合溝(9)を、他方の蓋(2)に係止凸部(10)をそれぞれ設け、嵌合溝(9)に係止凸部(10)を挿入して、各蓋(2)に取り付けた閉蓋ベルト(12,13)をバックル(14)で結合して締め付けると、蓋(2)同士が離反する方向へ引かれ、嵌合溝(9)と係止凸部(10)の垂直面(9a,10a)同士が圧接する方向へ引っ張り合って、嵌合溝(9)からの係止凸部(10)の離脱が阻止されることにより、蓋(2)が閉じた状態で固定されるようにしたことを特徴とする釣り用餌入れバッグ。
【請求項２】
前記蓋(2)を中高な形状として、嵌合溝(9)の底が蓋(2)の幅方向中間部で高く、両側方向へかけて低くなるようにし、嵌合溝(9)の両端を蓋(2)の両側面で開放したことを特徴とする請求項１に記載の釣り用餌入れバッグ。
【請求項３】
前記閉蓋ベルト(12,13)の各蓋(2)への固定部では、蓋(2)を貫通するボルト(16)にナット(17)をねじ込むと共に、ボルト(16)の軸部に嵌めたＯリング(18)をナット(17)と蓋(2)の間に挟んだことを特徴とする請求項１又は２に記載の釣り用餌入れバッグ。
【発明の詳細な説明】
【技術分野】
【０００１】
この発明は、魚釣りで生餌等の餌を入れるための容器本体に蓋を備えた釣り用餌入れバックに関するものである。
【背景技術】
【０００２】
釣り用餌入れバッグとして、下記特許文献１には、図１０に示すようなものが記載されている。この餌入れバッグは、底壁の周囲に各一対の端壁５１ａ及び側壁５１ｂを立設した容器本体５１と、その上部の開口に被せられる蓋５２とを基本構成部材とする直方体形状のものである。容器本体５１及び蓋５２は、防水性を有する軟質樹脂製のシート材、例えば、エチレン酢酸ビニル共重合樹脂（ＥＶＡ）を材料として形成されている。
【０００３】
蓋５２は、容器本体５１に対して、線ファスナ５３で開閉するものとされ、容器本体５１の一方の端壁５１ａに、軟質樹脂製のシート材から成るヒンジ片５４を介して繋がり、蓋５２を開けても、容器本体５１と蓋５２とが分離しないようになっている。
【０００４】
また、容器本体５１は、一対の把手５５を備えており、容器本体５１の対向する側壁５１ｂには、それぞれ把手５５の基部が回動自在に取り付けられ、把手５５は、起立させた状態で、上部同士を突合させて把持するようになっている。
【０００５】
また、一方の側壁５１ｂには、釣竿等の縦長の釣り具を縦向きに保持する３つの筒状保持部５６と、外側へ張り出すように接地されて、容器本体５１の転倒を防止する屈伸自在の張出脚５７とが設けられている。
【０００６】
このような釣り用餌入れバッグは、軽量であって、持ち運びやすく、また、容器本体５１や蓋５２がある程度膨らむので、釣りの行き帰り等に、所定の容量を多少超えて小物の釣具や釣った魚を入れることもできる。
【先行技術文献】
【特許文献】
【０００７】
【特許文献１】特開２０１０−１７８６４８号公報
【発明の概要】
【発明が解決しようとする課題】
【０００８】
しかしながら、上記のような釣り用餌入れバッグでは、釣り場で蓋５２を開ける際、把手５５を外側へ倒して、容器本体５１の上部を全面的に開放しなければならず、容器本体５１の一部のみを開放しておくといった使い方ができない。
【０００９】
また、強風下で蓋５２を開けたままにしておくと、ヒンジ片５４を介して容器本体５１に繋がった蓋５２が風で煽られてバタつき、不快な音が発生して、煩わしく感じられることがある。
【００１０】
また、蓋５２自体に剛性がないため、蓋５２の上に一時的に物を載せたりすることができず、防水性においても、線ファスナ５３を完全に閉じていなければ、蓋５２が撓んで、蓋５２と容器本体５１との隙間から浸水するおそれがある。
【００１１】
そこで、この発明は、蓋の閉止時の強度や防水性を確保しつつ、容器本体の一部のみを開放したり、容器本体から取り外したりできるようにすることを課題とする。
【課題を解決するための手段】
【００１２】
上記のような課題を解決するため、この発明は、防水性を有する軟質の容器本体と、その上部の開口に被せられる蓋とを基本構成部材とし、容器本体に把手を取り付けた釣り用餌入れバッグにおいて、硬質プラスチック製とした蓋を二分割して、少なくとも一方の蓋を把手と干渉することなく開けられるようにし、各蓋を、容器本体に面ファスナを備えた取付ベルトを介して回動かつ着脱自在に取り付け、一方の蓋に嵌合溝を、他方の蓋に係止凸部をそれぞれ設け、嵌合溝に係止凸部を挿入して、各蓋に取り付けた閉蓋ベルトをバックルで結合して締め付けると、嵌合溝と係止凸部の垂直面同士が引っ張り合って、蓋が閉じた状態で固定されるようにしたのである。
【００１３】
また、前記蓋を中高な形状として、嵌合溝の底が蓋の幅方向中間部で高く、両側方向へかけて低くなるようにし、嵌合溝の両端を蓋の両側面で開放したのである。
【００１４】
さらに、前記閉蓋ベルトの各蓋への固定部では、蓋を貫通するボルトにナットをねじ込むと共に、ボルトの軸部に嵌めたＯリングをナットと蓋の間に挟んだのである。
【発明の効果】
【００１５】
この発明に係る釣り用餌入れバッグでは、蓋自体が剛性を有し、ある程度の荷重を受けても変形せず、容器本体が定形性に乏しくても、閉蓋ベルトの締め付けにより、蓋を確実に閉止状態で固定できるほか、収納物が所定の容量を多少超えた場合でも、蓋を基端部から分割部へかけて盛り上がった状態で閉じて固定することができる。
【００１６】
また、蓋を閉じた状態で水を被っても、蓋の分割部に浸入した水が嵌合溝に受け止められ、嵌合溝に溜まった水が側方へ流れ落ちるほか、閉蓋ベルトの固定部にＯリングを挟んだので、容器本体の内部が浸水することはない。
【００１７】
また、蓋が分割されているので、容器本体の一部のみを開放することができ、その際、蓋の分割位置が、一方の蓋を把手と干渉することなく開けられるように設定されているので、把手を倒す必要もない。さらに、蓋が必要ない場合には、取付ベルトの面ファスナを剥がして、蓋を取り外しておくこともできる。
【図面の簡単な説明】
【００１８】
【図１】この発明の第１実施形態に係る釣り用餌入れバッグの閉蓋状態を示す斜視図
【図２】同上の蓋の分割部分及び固定構造を示す拡大縦断側面図
【図３】図２のIII−III線に沿った断面図
【図４】同上の短い蓋を開いた状態を示す斜視図
【図５】同上の両方の蓋を取り外した状態を示す斜視図
【図６】同上の餌入れバッグに縦長の釣り具を保持した状態を示す斜視図
【図７】この発明の第２実施形態に係る釣り用餌入れバッグの閉蓋状態を示す斜視図
【図８】同上の一方の蓋を開いた状態を示す斜視図
【図９】同上の他方の蓋を取り外した状態を示す斜視図
【図１０】従来の釣り用餌入れバッグの閉蓋状態を示す斜視図
【発明を実施するための形態】
【００１９】
まず、この発明の第１実施形態を添付図面に基づいて説明する。
【００２０】
この釣り用餌入れバッグは、図１に示すように、コーナー部に丸みを持たせた直方体形状とされ、防水性を有するＥＶＡ樹脂等の軟質シート材から成る容器本体１と、その上部の開口に被せられる硬質プラスチック製の蓋２とを基本構成部材とするものであり、容器本体１には、一対の把手３が取り付けられている。
【００２１】
容器本体１は、図面に現れない底壁の周囲に各一対の幅面の端壁１ａ及び長面の側壁１ｂを立設したものとされている。容器本体１の対向する側壁１ｂには、それぞれ把手３の基部が回動自在に取り付けられている。これらの把手３は、起立させて上部同士を突合させ、互いの凹部と凸部を係合させた状態で把持するようになっている。
【００２２】
一方の側壁１ｂには、図６に示すような使用状態において、釣竿Ａやたも網Ｂ等の縦長の釣り具を縦向きに保持する３つの筒状保持部４と、外側へ張り出すように接地されて、容器本体１の転倒を防止する屈伸自在の張出脚５とが設けられている。把手３の上部の突合位置は、筒状保持部４に縦長の釣具を保持した状態でバランスよく持運べるようにするため、筒状保持部４の方向へ偏っている。
【００２３】
また、図１、図４及び図５に示すように、蓋２は二分割され、その分割位置は、バッグの長さ方向の中央から偏っており、一方の蓋２は長く、他方の蓋２は短くなっている。蓋２の分割位置は、短い蓋２を起立状態の把手３と干渉することなく開けられるように設定されている。
【００２４】
各蓋２は、天面の中央側が高くなるように湾曲した天壁２ｃと、天壁２ｃの一端に連設されて端壁１ａの外側に被さる蓋端壁２ａと、天壁２ｃの両側に連設されて側壁１ｂの外側に被さる一対の蓋側壁２ｂとを有するものとされ、２本の取付ベルト６を介して回動かつ着脱自在に容器本体１に連結されている。
【００２５】
すなわち、図５を参照して説明すると、取付ベルト６の両端部の同じ面に一対の面ファスナ７が取り付けられ、その反対面の一端部が端壁１ａに固定されている。また、蓋２の蓋端壁２ａには、横向きの連結軸８が設けられている。そして、取付ベルト６を、蓋端壁２ａと連結軸８との間に挿通して、連結軸８を巻き込むようにループ状に折り返し、面ファスナ７同士を貼り合わせることにより、各蓋２は端壁１ａに取り付けられている。
【００２６】
長い蓋２の先端部表面には、図２及び図３に示すように、天壁２ｃの全幅に亘る嵌合溝９が設けられ、嵌合溝９の両端は、蓋２の両側面で開放されている。短い蓋２の先端部裏面には、突起状の係止凸部１０が間隔をおいて複数設けられると共に、係止凸部１０から少し離れた位置に、閉蓋を補助する補助壁１１が設けられている。
【００２７】
長い蓋２の先端側に位置する嵌合溝９の側面及び短い蓋２の基端側へ向いた係止凸部１０の側面は、それぞれ垂直面９ａ，１０ａとされ、長い蓋２の基端側に位置する嵌合溝９の側面は、嵌合溝９の開口側が広くなるように傾斜した傾斜面９ｂとされている。
【００２８】
各蓋２の先端部寄りにおける天壁２ｃの表面には、それぞれ閉蓋ベルト１２，１３が取り付けられている。長い蓋２の閉蓋ベルト１２には、バックル１４の雌型部材が取り付けられ、短い蓋２の閉蓋ベルト１３は、バックル１４の雄型部材に対し、スライド自在に挿通され、任意の位置で止められるようになっている。
【００２９】
閉蓋ベルト１２，１３の各蓋２への固定部では、天壁２ｃの肉厚部及び押金具１５を貫通するボルト１６にナット１７がねじ込まれる共に、ボルト１６の軸部に嵌めたＯリング１８がナット１７と天壁２ｃの肉厚部との間に挟み込まれている。
【００３０】
また、図１に示すように、容器本体１には、対向する端壁１ａに亘って、肩掛ベルト１９が取り付けられており、把手３を把持して運搬するだけでなく、肩掛ベルト１９を肩に掛けて運搬することもできるようになっている。
【００３１】
この釣り用餌入れバッグの蓋２を閉じる際には、長い蓋２の嵌合溝９に、傾斜面９ｂをガイドとして、短い蓋２の係止凸部１０を挿入する。そして、閉蓋ベルト１２，１３を、バックル１４で結合して閉蓋ベルト１３を引っ張ることにより締め付けると、嵌合溝９と係止凸部１０の当接する垂直面９ａ，１０ａ同士が引っ張り合って、蓋２が閉じた状態で固定される。
【００３２】
上記のような釣り用餌入れバッグでは、蓋２自体が剛性を有し、ある程度の荷重を受けても変形せず、容器本体１が定形性に乏しくても、図１及び図２に示すように、閉蓋ベルト１２，１３の締め付けにより、蓋２を確実に閉止状態で固定できるほか、収納物が所定の容量を多少超えた場合でも、蓋２を基端部から分割部へかけて盛り上がった状態で閉じて固定することができる。
【００３３】
また、蓋２を閉じた状態で水を被っても、蓋２の分割部に浸入した水が嵌合溝９に受け止められ、嵌合溝９に溜まった水が側方へ流れ落ちるほか、閉蓋ベルト１２，１３の固定部にＯリング１８を挟んだので、容器本体１の内部が浸水することはない。
【００３４】
また、蓋２が二分割されているので、図４に示すように、バックル１４の結合を解除して、短い蓋２を開くことにより、容器本体１の一部のみを開放することができ、その際、蓋２の分割位置が、短い蓋２を把手３と干渉することなく開けられるように設定されているので、把手３を倒す必要もない。
【００３５】
さらに、蓋２が必要ない場合には、図５に示すように、把手３を外側へ倒した状態で、取付ベルト６の面ファスナ７を剥がして、蓋２を取り外しておくこともできる。
【００３６】
なお、長い蓋２と短い蓋２の容器本体１への取付構造は、共通のものとなっていることから、長い蓋２と短い蓋２の配置を入れ替えて、これらの蓋２を容器本体１に取り付けることも可能である。
【００３７】
また、長い蓋２と短い蓋２の分割比率は、想定されるバッグの使用方法に応じて、適宜変更することができる。
【００３８】
次に、この発明の第２実施形態を図７乃至図９に基づいて説明する。なお、ここでは、上記第１実施形態と同様の機能を有する部分に同一の符号を付して、その説明を省略し、第１実施形態と異なる特徴的部分についてのみ言及する。
【００３９】
上記第１実施形態では、把手３のアーム部分の方向に起因して、蓋２が非対称となっていたが、この実施形態では、蓋２の分割位置がバッグの幅方向の中央となっており、蓋２は左右対称となっている。そして、いずれの蓋２も、起立状態の把手３と干渉することなく開けられるようになっている。
【００４０】
なお、ここでは、直方体形状のバッグについて例示したが、立方体形状のバッグにおいても、この実施形態と同様の構成を採用することができる。
【符号の説明】
【００４１】
１  容器本体
１ａ  端壁
１ｂ  側壁
２  蓋
２ａ  蓋端壁
２ｂ  蓋側壁
２ｃ  天壁
３  把手
４  筒状保持部
５  張出脚
６  取付ベルト
７  面ファスナ
８  連結軸
９  嵌合溝
９ａ  垂直面
９ｂ  傾斜面
１０  係止凸部
１０ａ  垂直面
１１  補助壁
１２，１３  閉蓋ベルト
１４  バックル
１５  押金具
１６  ボルト
１７  ナット
１８  Ｏリング
１９  肩掛ベルト
【図１】
0005922921.tif 000002
【図２】
0005922921.tif 000003
【図３】
0005922921.tif 000004
【図４】
0005922921.tif 000005
【図５】
0005922921.tif 000006
【図６】
0005922921.tif 000007
【図７】
0005922921.tif 000008
【図８】
0005922921.tif 000009
【図９】
0005922921.tif 000010
【図１０】
0005922921.tif 000011